(57)【要約】【課題】箱体の本体内部に手を挿入し、箱体内部に向けて高速で気流を送ることにより手を乾燥させる手乾燥装置において、センサに付着した水滴やゴミによる誤作動を防止した手乾燥装置を提供することを目的とする。【解決手段】回転できる手検知部７を設け、手検知部７を回転することにより手検知部７上の検知面６を風路１３側に向け、風路１３は手検知部７、吹き出し口５の順番に手挿入部３まで通じる構成としたことにより、検知面６が風路１３側に向いた状態で送風することで、検知面６に付着した水滴やゴミを除去することができ、誤動作の発生を防ぐことができる手乾燥装置が得られる。【選択図】図１
2014140551.tif 000002
【特許請求の範囲】
【請求項１】
本体は箱体であり、前記本体の外側には、使用者の有無を検知する人検知センサと、前記本体の天面に手を挿入できる手挿入部の開口を配置し、前記手挿入部は、対向する壁面にそれぞれこの手挿入部に入れられた手に向かって空気を吹き出す吹き出し口と、表面に形成した検知面で前記手挿入部内の手を検知する手検知部とを埋設して備え、前記本体内部には、前記壁面の裏側に沿って、前記手検知部、前記吹き出し口の順番に通じる風路と、この風路に向かって送風する送風手段と、前記手検知部の表裏を回転させて入れ替える手検知部回転手段と、前記手検知部と前記人検知センサからの情報を用いて前記送風手段と前記手検知部回転手段の動作を制御する制御部を備え、前記手検知部は、検知面を前記手挿入部内部方向に向けることにより手を検知するものであり、前記手検知部回転手段は、前記手検知部を回転させることにより、前記検知面を前記風路側に向けることを特徴とする手乾燥装置。
【請求項２】
手挿入部内には、吹き出し口の上側に手検知部を設け、壁面の裏側に沿って設けた風路は、本体の下方から上方に向けて形成し、吹き出し口の下部から前記手検知部の位置まで上方に延設した仕切り板を備え、前記手検知部、前記吹き出し口の順に通じることを特徴とする請求項１に記載の手乾燥装置。
【請求項３】
制御部は、手検知部の清浄が必要か否かを判断する清浄要否判定手段と、手乾燥動作、手検知部清浄動作、停止の三種類のうちいずれか一つの動作を選択する動作選択手段と、前記動作選択手段の選択結果に基づいて手検知部回転手段の動作を制御する回転制御手段と、前記選択結果に基づいて送風手段の動作を制御する送風制御手段を備え、前記動作選択手段は、前記清浄要否判定手段からの信号と、手検知部からの信号と、人検知センサからの信号を用いて、手検知部からの信号が検知ありとなっている場合に手乾燥動作、手検知部が検知なしで人検知センサが検知ありとなっているときは停止、手検知部と人検知センサからの信号がともに検知なしとなっているときは、前記清浄要否判定手段により清浄が不要と判断された場合は停止、清浄が必要と判断された場合は手検知部清浄動作と判定することを特徴とする請求項１に記載の手乾燥装置。
【請求項４】
送風制御手段は、動作選択手段で手乾燥運転または手検知部清浄動作が選択された場合は、前記送風手段を駆動して送風させ、動作選択手段で停止が選択された場合は、前記送風手段を停止させ、回転制御手段は、動作選択手段で手乾燥運転または停止が選択された場合は、検知面を手挿入部側に向けるように手検知部回転手段を駆動し、動作選択手段で手検知部清浄動作が選択された場合は、前記検知面を風路側に向けるように手検知部回転手段を駆動することを特徴とする請求項３に記載の手乾燥装置。
【請求項５】
清浄要否判定手段は、過去の運転履歴を記憶する記憶手段を備え、運転時間の合計が所定の時間に達している場合または運転回数が所定の回数に達している場合は清浄必要と判定し、所定の時間または回数に達していない場合は清浄不要と判定することを特徴とする請求項３に記載の手乾燥装置。
【発明の詳細な説明】
【技術分野】
【０００１】
本発明は、洗浄後の濡れた手に風を当てて乾燥させる手乾燥装置に関するものである。
【背景技術】
【０００２】
従来、この種の手乾燥装置は、箱体の本体内部に手を挿入し、箱体内部に向けて高速で気流を送ることにより、手を乾燥させるものが知られている（例えば、特許文献１参照）。
【先行技術文献】
【特許文献】
【０００３】
【特許文献１】特許第３９９４６４７号公報
【発明の概要】
【発明が解決しようとする課題】
【０００４】
このような従来の手乾燥装置において、本体内部に入れられた手を検知するセンサを、手を挿入する手挿入部の上部に設けることにより、手が入れられたときに素早く反応し、確実に手が抜かれたタイミングで送風を停止できるという利点がある一方で、使用時に飛散した水滴やゴミがセンサに付着し、その水滴やゴミによってセンサが反応することによる誤動作が発生する恐れがあるという課題があった。
【０００５】
本発明は、上記課題を解決するものであり、センサに付着した水滴やゴミによる誤作動を防止する手乾燥装置を提供するものである。
【課題を解決するための手段】
【０００６】
そして、この目的を達成するために、本発明は、本体は箱体であり、前記本体の外側には、使用者の有無を検知する人検知センサと、前記本体の天面に手を挿入できる手挿入部の開口を配置し、前記手挿入部は、対向する壁面にそれぞれこの手挿入部に入れられた手に向かって空気を吹き出す吹き出し口と、表面に形成した検知面で前記手挿入部内の手を検知する手検知部とを埋設して備え、前記本体内部には、前記壁面の裏側に沿って、前記手検知部、前記吹き出し口の順番に通じる風路と、この風路に向かって送風する送風手段と、前記手検知部の表裏を回転させて入れ替える手検知部回転手段と、前記手検知部と前記人検知センサからの情報を用いて前記送風手段と前記手検知部回転手段の動作を制御する制御部を備え、前記手検知部は、検知面を前記手挿入部内部方向に向けることにより手を検知するものであり、前記手検知部回転手段は、前記手検知部を回転させることにより、前記検知面を前記風路側に向ける手乾燥装置としたものであり、これにより所期の目的を達成するものである。
【発明の効果】
【０００７】
本発明によれば、制御部が手検知部と人検知センサからの情報を用いて送風手段と手検知部回転手段の動作を制御し、手検知部回転手段によって手検知部を回転させて表裏を入れ替えることによって手検知部の検知面を風路側に向けることができ、検知面が風路側に向いた状態で送風することにより、手検知部上の検知面に付着した水滴やゴミを除去することができ、誤動作の発生を防ぐことができるという効果が得られる。
【図面の簡単な説明】
【０００８】
【図１】本発明の実施の形態１の手乾燥装置の構成を示す斜視図
【図２】同実施の形態１の手乾燥装置の動作を示す本体上部の側断面図（（ａ）停止時または手乾燥動作時の図、（ｂ）手検知部清浄時の図）
【図３】同実施の形態１の手乾燥装置の構成を示すブロック図
【発明を実施するための形態】
【０００９】
本発明の請求項１記載の手乾燥装置は、本体は箱体であり、前記本体の外側には、使用者の有無を検知する人検知センサと、前記本体の天面に手を挿入できる手挿入部の開口を配置し、前記手挿入部は、対向する壁面にそれぞれこの手挿入部に入れられた手に向かって空気を吹き出す吹き出し口と、表面に形成した検知面で前記手挿入部内の手を検知する手検知部とを埋設して備え、前記本体内部には、前記壁面の裏側に沿って、前記手検知部、前記吹き出し口の順番に通じる風路と、この風路に向かって送風する送風手段と、前記手検知部の表裏を回転させて入れ替える手検知部回転手段と、前記手検知部と前記人検知センサからの情報を用いて前記送風手段と前記手検知部回転手段の動作を制御する制御部を備え、前記手検知部は、検知面を前記手挿入部内部方向に向けることにより手を検知するものであり、前記手検知部回転手段は、前記手検知部を回転させることにより、前記検知面を前記風路側に向けることを特徴とするものである。
【００１０】
これにより、制御部が手検知部と人検知センサからの情報を用いて送風手段と手検知部回転手段の動作を制御し、手検知部回転手段によって手検知部を回転させることで表裏を入れ替えることによって手検知部の検知面を風路側に向けることができ、検知面が風路側に向いた状態で送風することにより、手検知部表面に付着した水滴やゴミを除去することができるので、検知面に付着した汚れによる誤動作の発生を防ぐことができる。
【００１１】
また、請求項２記載の手乾燥装置は、手挿入部内には、吹き出し口の上側に手検知部を設け、壁面の裏側に沿って設けた風路は、本体の下方から上方に向けて形成し、吹き出し口の下部から前記手検知部の位置まで上方に延設した仕切り板を備え、前記手検知部、前記吹き出し口の順に通じることを特徴とするものである。
【００１２】
これにより、検知面が風路の内壁側に面するように手検知部を回転させて、送風手段によって送風した際、下方から上方に向けて送られた空気が仕切り板を設けたことによって吹き出し口と手検知部を設けた位置では風路の内壁側を上から下に向かって風が通過することになり、吹き出し口から手挿入部内へ吹き出す空気は確実に手検知面を通過して検知面に付着した水滴やゴミに対し、送風による力と重力による力がともに下向きに働かせることができ、効率良く水滴やゴミを除去できるので、検知面に付着した汚れによる誤動作の発生を防ぐことができる。
【００１３】
また、請求項３記載の手乾燥装置は、制御部は、手検知部の清浄が必要か否かを判断する清浄要否判定手段と、手乾燥動作、手検知部清浄動作、停止の三種類のうちいずれか一つの動作を選択する動作選択手段と、前記動作選択手段の選択結果に基づいて手検知部回転手段の動作を制御する回転制御手段と、前記選択結果に基づいて送風手段の動作を制御する送風制御手段を備え、前記動作選択手段は、前記清浄要否判定手段からの信号と、手検知部からの信号と、人検知センサからの信号を用いて、手検知部からの信号が検知ありとなっている場合に手乾燥動作、手検知部が検知なしで人検知センサが検知ありとなっているときは停止、手検知部と人検知センサからの信号がともに検知なしとなっているときは、前記清浄要否判定手段により清浄が不要と判断された場合は停止、清浄が必要と判断された場合は手検知部清浄動作と判定することを特徴とするものである。
【００１４】
これにより、動作選択手段は、清浄要否判定手段と手検知部と人検知センサの入力を用いて手乾燥動作、手検知部清浄動作、停止の三つのうちいずれか一つの動作を選択することにより、本来の機能である手乾燥動作の合間の人がいないタイミングで、手検知部を回転して検知面を風路側に向けて送風手段で送風を行う手検知部清浄動作をすることができるので、検知面に付着した汚れによる誤動作の発生を防ぐことができる。
【００１５】
また、請求項４記載の手乾燥装置は、送風制御手段は、動作選択手段で手乾燥運転または手検知部清浄動作が選択された場合は、前記送風手段を駆動して送風させ、動作選択手段で停止が選択された場合は、前記送風手段を停止させ、回転制御手段は、動作選択手段で手乾燥運転または停止が選択された場合は、検知面を手挿入部側に向けるように手検知部回転手段を駆動し、動作選択手段で手検知部清浄動作が選択された場合は、前記検知面を風路側に向けるように手検知部回転手段を駆動することを特徴とするものである。
【００１６】
これにより、動作選択手段によって手検知部清浄動作が選択された場合に、送風制御手段により送風手段を駆動し、回転制御手段によって手検知部回転手段を駆動して検知面を風路側に向けることにより、手検知部に風を当て、付着した水滴やゴミを除去することができるので、検知面に付着した汚れによる誤動作の発生を防ぐことができる。
【００１７】
また、請求項５記載の手乾燥装置は、清浄要否判定手段は、過去の運転履歴を記憶する記憶手段を備え、運転時間の合計が所定の時間に達している場合または運転回数が所定の回数に達している場合は清浄必要と判定し、所定の時間または回数に達していない場合は清浄不要と判定することを特徴とするものである。
【００１８】
これにより、清浄要否判定手段は、記憶手段によって記憶された過去の運転履歴を用いて手検知部清浄動作の要否を判定することにより、不必要な頻度で清浄することや清浄の頻度が低くなりすぎることを防げるので、適切な頻度で手検知部の清浄ができる。
【００１９】
以下、本発明の実施の形態について図面を参照しながら説明する。
【００２０】
（実施の形態１）
図１は、本発明の実施の形態１における手乾燥装置の構成を表す斜視図である。図１に示すように、手乾燥装置本体１は、箱体である。手乾燥装置本体１は、本体正面側に人検知センサ２を備え、手乾燥装置本体１の天面の開口部分から手を抜き差しできる手挿入部３を有する。人検知センサ２は赤外線により人の有無を検知する人感センサ、または、手乾燥装置本体１が設置された室内の照明によって人の有無を検知する照度センサなどが用いられる。
【００２１】
手挿入部３の対向する壁面４には、それぞれこの手挿入部３に入れられた手に向かって空気を吹き出す吹き出し口５と、表面に形成した検知面６で手挿入部３内の手を検知する手検知部７とを埋設して備えている。吹き出し口５は、水平方向に並んだ複数の穴からなる。手検知部７は、筒状容器８の中に手検知センサ９が入ったものであり、吹き出し口５の上側に設けている。手検知センサ９は、例えば赤外線発光ＬＥＤとその対面に配置した受光素子の対で構成した遮断型のセンサであり、赤外線発光ＬＥＤの発光に対して受光素子で受光があれば手検知なし、受光がなければ手検知ありとするものである。赤外線発光に対して同じ側の面で受光し、手に反射した赤外線を受光した場合に手検知ありとする反射型のセンサを用いてもよい。筒状の手検知部７は、水平になるよう配置してあり、停止時または手乾燥動作時は、検知面６が手挿入部３内部方向へ向いて鉛直に近い角度となっていて、この状態において、手挿入部３内の手を検知できる。
【００２２】
手乾燥装置本体１内部には、手挿入部３に風を送る送風手段１０と、手検知部７の表裏を回転させて入れ替える手検知部回転手段１１と、手検知部７と人検知センサ２からの情報を用いて送風手段１０と手検知部回転手段１１の動作を制御する制御部１２を備えている。送風手段１０はモータで駆動し、送風するものである。手検知部回転手段１１は、例えば、ステッピングモータであり、手検知部７を回転させることができる。
【００２３】
図２は、本発明実施の形態１における手乾燥装置の動作を示す本体上部の側断面図である。図２（ａ）に示すように、手乾燥装置本体１内部には壁面４の裏側に沿って形成した風路１３を備えている。風路１３は、手乾燥装置本体１の下方から上方に向けて形成し、吹き出し口５の下部から前記手検知部７の位置まで上方に延設した仕切り板１４を備えたことにより、手検知部７、吹き出し口５の順番に通じて手挿入部３へ到達するようにしている。送風手段１０は、この風路１３に向かって送風することにより、手挿入部３に風を送るものである。また、手検知部回転手段１１は、手検知部７を回転させることにより、検知面６を風路１３側に向けるものである。ここで、手検知部回転手段１１により手検知部７を図２（ａ）の状態から１８０度回転させたとき、図２（ｂ）のように、検知面６が壁面４と同一平面上に位置して風路１３に面するように、手検知部７を配置しておく。
【００２４】
手検知部７は、発光側１５と受光側１６の１対で手を検知するもので、手検知部７の発光側１５は、円周面１７と平面１８を持つ筒状容器８内に赤外線発光ＬＥＤが入ったもので、受光側１６は、同形状の筒状容器８内に受光素子が入っているものである。発光側１５と受光側１６は、それぞれ筒状容器８の平面１８側に手検知センサ９の発光面と受光面を向けて、この平面１８を検知面６としている。
【００２５】
図３は、本発明実施の形態１における手乾燥装置の構成を示すブロック図である。
【００２６】
図３に示すように、制御部１２は、手検知部７の清浄が必要か否かを判断する清浄要否判定手段１９と、手乾燥動作、手検知部清浄動作、停止の３つのうちいずれか一つの動作を選択する動作選択手段２０と、動作選択手段２０の選択結果に基づいて手検知部回転手段１１の動作を制御する回転制御手段２１と、動作選択手段２０の選択結果に基づいて送風手段１０の動作を制御する送風制御手段２２を備えている。
【００２７】
清浄要否判定手段１９は、過去の運転履歴を記憶する記憶手段２３を備え、運転時間の合計が所定の時間に達している場合または運転回数が所定の回数に達している場合は清浄必要と判定し、所定の時間または回数に達していない場合は清浄不要と判定するものである。
【００２８】
動作選択手段２０は、清浄要否判定手段１９からの信号と、手検知部７からの信号と、人検知センサ２からの信号を用いて、動作を選択するものである。具体的には、動作選択手段２０は、手検知部７からの信号が検知ありとなっている場合に手乾燥動作、手検知部７が検知なしで人検知センサ２が検知ありとなっているときは停止、手検知部７と人検知センサ２からの信号がともに検知なしとなっているときは、清浄要否判定手段１９により清浄が不要と判断された場合は停止、清浄が必要と判断された場合は手検知部清浄動作を選択するものである。ただし、人検知がなく手検知ありの場合は、手検知部７に付着した水滴やゴミによる誤動作の可能性があるため、所定の時間だけ手乾燥動作を選択した後、検知状態に変化がなければ手検知部清浄動作に切り替えるものとする。
【００２９】
回転制御手段２１は、動作選択手段２０で手乾燥運転または停止が選択された場合は、検知面６を手挿入部３内部方向に向けるように手検知部回転手段１１を駆動し、動作選択手段２０で手検知部清浄動作が選択された場合は、検知面６を風路１３側に向けるように手検知部回転手段１１を駆動するものである。
【００３０】
送風制御手段２２は、動作選択手段２０で手乾燥運転または手検知部清浄動作が選択された場合は、送風手段１０を駆動して送風させ、動作選択手段２０で停止が選択された場合は、送風手段１０を停止させるものである。
【００３１】
ところで、従来の手乾燥装置では、使用時に飛散した水滴やゴミがセンサに付着し、その水滴やゴミによってセンサが反応することにより手検知ありと認識し、運転を開始する誤動作が発生する恐れがあるという課題があった。
【００３２】
そこで、本実施の形態では、通常運転中以外にセンサに付着した水滴やゴミに風を当てることにより水滴やゴミを除去できるものとした。特に、回転可能な手検知部７を設け、手検知部回転手段１１によって手検知部７を回転させることにより、手検知部７の検知面６を風路１３側に向ける構成を備えたものである。
【００３３】
このような構成とすることにより、手検知部回転手段１１によって手検知部７を回転させ、検知面６を風路１３側に向けた状態で送風することで、手検知部表面に付着した水滴やゴミを除去することができ、誤動作の発生を防ぐことができる。
【００３４】
以下、その詳細な流れについて説明する。
【００３５】
手乾燥装置本体１は、電源が投入されると、人検知センサ２により人検知すなわち使用者の検知を開始するとともに、回転制御手段２１により、手検知部回転手段１１を駆動し、手検知部７を回転させることによって、図２（ａ）のように、手検知部７の発光側１５と受光側１６の検知面６がともに手挿入部３内へ向いて鉛直になり、手挿入部３内の手検知が可能な状態となるようにする。ここで、検知面６が鉛直より下向きの状態にはできないように手検知部７の可動角度範囲を制限しておくことにより、検知面６が鉛直になった状態で停止させることができる。
【００３６】
手乾燥装置本体１が設置された室内に使用者が入ると、人検知センサ２が使用者を検知し、人検知センサ２から制御部１２に送られる信号が人検知ありとなる。この状態から使用者が手乾燥装置本体１の手挿入部３内に手を入れると、手検知部７が手を検知し、手検知部７から制御部１２に送られる信号が手検知ありとなる。図３に示す制御部１２では、動作選択手段２０で手検知部７と人検知センサ２からの信号を確認し、人検知ありで手検知ありとなっているときは、手乾燥動作を選択する。
【００３７】
手乾燥動作が選択されると、回転制御手段２１では、検知面６が手挿入部３内へ向いて鉛直になるように手検知部回転手段１１にパルスを与える。ここで、上述のとおり、検知面６が鉛直より下向きの状態にはならないため、パルスを与える前から検知面６が手挿入部３内へ向いて鉛直になっていた場合は見かけ上、手検知部７は動かないこととなるので、パルスを与える前から検知面６が手挿入部３内へ向いて鉛直になっている場合は、パルスを与える必要はない。同じく手乾燥動作が選択されると、送風制御手段２２では、送風手段１０を駆動して送風をすることにより、手乾燥運転を開始させる。このとき、清浄要否判定手段１９では、運転開始とともにタイマをスタートさせて運転時間を計測し、図３に示す記憶手段２３で累積運転時間と、累積運転回数を記憶する。
【００３８】
次に、手乾燥運転状態から使用者が手挿入部３内から手を抜いた場合、人検知センサ２から制御部１２に送られる信号が人検知ありのまま、手検知部７から制御部１２に送られる信号が手検知なしとなり、動作選択手段２０では停止が選択される。
【００３９】
停止が選択された場合、回転制御手段２１は、手乾燥動作が選択された場合と同様に、検知面６が鉛直になるように制御する。また、送風制御手段２２は、送風手段１０の駆動を止めて停止させる。
【００４０】
さらに、使用者が退室し、人検知センサ２からの信号が人検知なしとなると、動作選択手段２０では、清浄要否判定手段１９からの信号により動作を選択する。すなわち、動作選択手段２０では、清浄要否判定手段１９により手検知部７の清浄が必要と判定された場合は手検知部清浄動作を選択し、清浄が不要と判定された場合は停止を選択する。
【００４１】
ここで、清浄要否判定手段１９では、記憶手段２３により記憶された累積運転時間と累積運転回数をあらかじめ定められた閾値である清浄必要運転時間と清浄必要運転回数とそれぞれ比較し、少なくともいずれか一方が閾値以上となっている場合に清浄が必要と判定する。また、清浄要否判定手段１９は、動作選択手段２０により手検知部清浄動作が選択され、手検知部清浄動作が終了した時に、記憶手段２３で記憶している累積運転時間と累積運転回数をクリアすることにより、適切な頻度で清浄が必要と判定することができる。
【００４２】
動作選択手段２０で手検知部清浄動作が選択された場合、回転制御手段２１は、電源投入時と逆方向のパルスを手検知部回転手段１１に与え、手検知部７を１８０度回転させることにより、検知面６が風路１３側を向いて鉛直になるようにする。また、送風制御手段２２では送風手段１０を駆動し送風を開始する。このとき、手検知部回転手段１１による手検知部７の回転が完了する時間分遅らせてから送風手段１０の駆動を開始する構成としてもよい。所定の時間送風を継続した後、送風手段１０の駆動を止める。同時に回転制御手段２１では、検知面６が手挿入部３内へ向いて鉛直になるよう手検知部回転手段１１にパルスを与える。
【００４３】
手検知部清浄動作が行われているとき、手検知部７の検知面６は風路１３側を向いており、風路１３は手検知部７、吹き出し口５の順に通じていることから、この状態で送風手段１０により送風を行った場合、風が風路１３を通って手挿入部３に抜ける際に、検知面６上を通過することにより、検知面６上の水滴やゴミを吹き飛ばすことができる。ここで、風路１３内に仕切り板１４を設けたことによって、風路１３の内壁２４側は上から下に向かって風が通過することにより、検知面６に付着した水滴やゴミに対し、送風による力と重力による力がともに下向きに働くことにより、効率良く水滴やゴミを除去できる。
【００４４】
また、手検知部７を回転させる際は、発光側１５で発光した赤外線を受光側１６で受けることができなくなるため、制御部１２内で、手検知部７の信号を無効とし、手検知なしの認識とする。このことから、手検知部清浄動作中に手検知ありとなることは起こりえないが、手検知部清浄動作中に人検知ありとなった場合は、動作選択手段２０で停止が選択されることになるため、手検知部清浄動作を中止し、停止状態で待機することにより、本来の使用方法である手乾燥動作を優先させることができる。手検知部清浄動作を中止した場合は、清浄要否判定手段１９の記憶手段２３で記憶している累積運転時間と累積運転回数をクリアしないため、清浄要否判定手段１９では次の判定時も、清浄が必要と判定することとなり、手検知部清浄動作が未完了の場合は、やり直すことができる。
【００４５】
以上のように、手検知部表面に付着した水滴やゴミを除去することができるので、誤動作の発生を防ぐことができる。
【産業上の利用可能性】
【００４６】
本発明にかかる手乾燥装置は、使用時にセンサ部分に飛散した水滴やゴミの付着により誤動作することを防止するものであり、洗面所やトイレ等で手を洗い、濡れた手を乾燥させる手乾燥装置として有用である。
【符号の説明】
【００４７】
１  手乾燥装置本体
２  人検知センサ
３  手挿入部
４  壁面
５  吹き出し口
６  検知面
７  手検知部
８  筒状容器
９  手検知センサ
１０  送風手段
１１  手検知部回転手段
１２  制御部
１３  風路
１４  仕切り板
１５  発光側
１６  受光側
１７  円周面
１８  平面
１９  清浄要否判定手段
２０  動作選択手段
２１  回転制御手段
２２  送風制御手段
２３  記憶手段
２４  内壁
【図１】
2014140551.tif 000003
【図２】
2014140551.tif 000004
【図３】
2014140551.tif 000005